【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
完全なコードブックに属する複数のコードワードと複数の部分コードワード群とを使用する方法であって、該部分コードワード群の各々は前記完全なコードブックに属する複数のコードワードを含み、当該方法は、
前記完全なコードブックの中で最良のコードワードを決定するステップと、
a)最近選択したばかりの現在の部分コードワード群及びb)前記完全なコードブックの中の前記最良のコードワードを含む別の部分コードワード群の間で閾値判定基準に基づいて選択を行うことで、現在の部分コードワード群となる部分コードワード群を前記複数の部分コードワード群の中から適応的に選択するステップと、
前記適応的に選択するステップにおいて、前記現在の部分コードワード群を変更することになった場合、該現在の部分コードワード群の指標を送信するステップと、
前記複数の部分コードワード群の中の前記現在の部分コードワード群に属するコードワードのインデックスを送信するステップと
を反復的に実行する、方法。
【請求項２】
前記適応的に選択するステップにおいて、
a) i)前記完全なコードブックの中で最良のコードワードが前記最近選択したばかりの部分コードワード群に所属しているか否かも判定し、所属していた場合、前記最近選択したばかりの部分コードワード群を前記現在の部分コードワード群として選択し、
ii) 前記完全なコードブックの中で前記最良のコードワードが前記最近選択したばかりの部分コードワード群に所属していなかった場合、前記最近選択したばかりの部分コードワードコードワード群から最良のコードワードを選択し、
前記最近選択したばかりの部分コードワード群の中で最良のコードワード及び前記完全なコードブックの中で最良のコードワードが閾値判定基準を満たしていた場合、前記最近選択された現在の部分コードワード群である現在の部分コードワード群を選択し、そうでなかった場合、前記完全なコードブックの中で最良のコードワードを含む部分コードワード群を現在の部分コードワード群として選択し、
b)前記最近選択したばかりの部分コードワード群から前記最良のコードワードを選択し、
前記最近選択したばかりの部分コードワード群の中で最良のコードワード及び前記完全なコードブックからの最良のコードワードがともに前記閾値判定基準を満たしていた場合、前記最近選択された現在の部分コードワード群である現在の部分コードワード群を選択し、そうでなかった場合、前記完全なコードブックの中で最良のコードワードを含む部分コードワード群を現在の部分コードワード群として選択するステップの少なくとも1つを
を有する、請求項１に記載の方法。
【請求項３】
前記最近選択されたばかりの現在の部分コードワード群の中で最良のコードワードと前記完全なコードブックの中で最良のコードワードとの間の相関値が所定の閾値より高かった場合に、前記最近選択されたばかりの現在の部分コードワード群における最良のコードワード及び前記完全なコードブックにおける最良のコードワードは閾値判定基準を満足する、請求項２に記載の方法。
【請求項４】
前記相関値は規格化された内積により算出される、請求項３に記載の方法。
【請求項５】
前記部分コードワード群の各々が、対応する固有の識別子を有し、
前記現在の部分コードワード群の指標を送信するステップにおいて、前記現在の部分コードワード群に関連する前記固有の識別子を送信する、請求項１−４の何れか1項に記載の方法。
【請求項６】
前記部分コードワード群の各々について、前記完全なコードブックに属する関連するヘッダコードワードが存在し、
前記現在の部分コードワード群の指標を送信するステップにおいて、前記完全なコードブックに属する前記現在の部分コードワード群についての前記関連するヘッダコードワードのインデックスを送信する、請求項１に記載の方法。
【請求項７】
送信されたインデックスが前記完全なコードブックにおけるコードワードのインデックスであるか又は前記現在の部分コードワード群におけるコードワードのインデックスであるかを判定するための情報を送信するステップを更に有する請求項６に記載の方法。
【請求項８】
前記現在の部分コードワード群に属するコードワード各々のインデックスがそれぞれNビットのインデックスであり、
前記現在の部分コードワード群に属する何れかのコードワードについては使用されないNビットのインデックスが、送信されたインデックスは前記完全なコードブックにおけるインデックスであるか又は前記現在の部分コードワード群におけるインデックスであるかを指定するために使用されている、請求項７に記載の方法。
【請求項９】
送信されたインデックスが前記完全なコードブックの上位部分集合におけるコードワードのインデックスであるか又は前記現在の部分コードワード群におけるコードワードのインデックスであるかを判定するための情報を送信するステップを更に有する請求項６に記載の方法。
【請求項１０】
前記現在の部分コードワード群に属するコードワード各々のインデックスがそれぞれNビットのインデックスであり、
前記現在の部分コードワード群に属する何れかのコードワードについては使用されないNビットのインデックスが、送信されたインデックスは前記完全なコードブックの上位部分集合におけるインデックスであるか又は前記現在の部分コードワード群におけるインデックスであるかを指定するために使用されている、請求項９に記載の方法。
【請求項１１】
MIMO送信機からの時空間符号化信号を受信するステップと、
MIMOチャネルについてのチャネル情報を決定するステップと、
前記完全なコードブック又は部分コードワード群の中から最良のコードワードが選択される際に、前記MIMOチャネルについてのチャネル情報に基づいて、前記完全なコードブック又は部分コードワード群の中から最良のコードワードを選択するステップと
を有する請求項１−１０の何れか1項に記載の方法。
【請求項１２】
コードブックのコードワードが、前記MIMO送信機から送信される信号に適用される重み付け因子を規定している、請求項１１に記載の方法。
【請求項１３】
複数のアンテナに関連する受信回路と、
前記複数のアンテナに関連する送信回路と、
部分コードワード群を記憶するメモリと、
サブセット選択部と
を有する装置であって、前記サブセット選択部は閾値判定基準に基づいて当該装置に方法を実行させ、該方法は、
完全なコードブックに属する複数のコードワードと複数の部分コードワード群とを使用する方法であって、該部分コードワード群の各々は前記完全なコードブックに属する複数のコードワードを含み、該方法は、
前記完全なコードブックの中で最良のコードワードを決定するステップと、
a)最近選択したばかりの現在の部分コードワード群及びb)前記完全なコードブックの中の前記最良のコードワードを含む別の部分コードワード群の間で閾値判定基準に基づいて選択を行うことで、現在の部分コードワード群となる部分コードワード群を前記複数の部分コードワード群の中から適応的に選択するステップと、
前記適応的に選択するステップにおいて、前記現在の部分コードワード群を変更することになった場合、該現在の部分コードワード群の指標を送信するステップと、
前記複数の部分コードワード群の中の前記現在の部分コードワード群に属するコードワードのインデックスを送信するステップと  
を反復的に実行する、装置。
【請求項１４】
当該装置が移動局である、請求項１３に記載の装置。
【請求項１５】
前記部分コードワード群の各々が、対応する固有の識別子を有し、
当該装置は、前記現在の部分コードワード群に関連する前記固有の識別子を送信することで、前記現在の部分コードワード群の指標を送信する、請求項1３に記載の装置。
【請求項１６】
前記部分コードワード群の各々について、前記完全なコードブックに属する関連するヘッダコードワードが存在し、
当該装置は、前記完全なコードブックに属する前記現在の部分コードワード群についての前記関連するヘッダコードワードのインデックスを送信することで、前記現在の部分コードワード群の指標を送信する、請求項１３に記載の装置。
【請求項１７】
請求項１−１２の何れか1項に記載の方法を受信機に実行させる命令を格納する1つ以上のコンピュータ読み取り可能な媒体。